(57)【特許請求の範囲】
【請求項１】
複数の制御チャネル要素を有する下り制御チャネルに含まれる基地局から自局への制御情報を検出するために、前記制御情報の割当候補位置に属する制御チャネル要素の信号を復号する移動局であって、
前記割当候補位置に属する各制御チャネル要素の受信レベルを生成する生成部と、
前記各制御チャネル要素に対して前記受信レベルに応じた優先度を設定し、前記優先度に応じた順序により前記各制御チャネル要素の信号の復号を制御する制御部と、を備える移動局。
【請求項２】
前記制御部は、Ｎ個（Ｎ＞１）の連続する制御チャネル要素に含まれている制御情報を検出する場合、前記制御情報の割当候補位置に属するＮ個の連続する制御チャネル要素の受信レベルの変動が閾値以上であるかを判断し、前記受信レベルの変動が閾値以上である場合、前記Ｎ個の連続する制御チャネル要素の優先度を低く設定することを特徴とする、請求項１に記載の移動局。
【請求項３】
前記生成部は、前記各制御チャネル要素に含まれる信号の軟値の平均値を前記受信レベルとして生成し、
前記制御部は、前記軟値の平均値に応じて前記優先度を設定する、
請求項１又は２に記載の移動局。
【請求項４】
前記制御部は、Ｎ個（Ｎ＞１）の連続する制御チャネル要素に含まれている制御情報を検出する場合、前記Ｎ個の連続する制御チャネル要素の一部の制御チャネル要素の受信レベルが閾値以上であるかを判断し、前記一部の制御チャネル要素の受信レベルが閾値以上である場合、前記一部の制御チャネル要素のみを復号するように前記復号部を制御することを特徴とする、請求項１乃至３のいずれか一項に記載の移動局。
【請求項５】
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前記割当候補位置に属する各制御チャネル要素の受信レベルを生成するステップと、
前記各制御チャネル要素に対して前記受信レベルに応じた優先度を設定し、前記優先度に応じた順序により前記各制御チャネル要素の信号の復号を制御するステップと、を有する制御情報の復号方法。
【発明の詳細な説明】
【技術分野】
【０００１】
本発明は、移動局及び制御情報の復号方法に関し、特に、基地局からの下り制御チャネルに含まれる自局宛制御情報を検出する移動局及び制御情報の復号方法に関する。
【背景技術】
【０００２】
近年、移動体通信方式の標準化団体である３ＧＰＰにおいて、ＬＴＥ（Long Term Evolution）に関する検討が進められている。ＬＴＥの基地局は、配下の移動局に対してユーザデータを送信するために、どの移動局にどのユーザデータチャネルを割り当てるかというスケジューリングを行う。そして、基地局は、下りの制御チャネルであるＰＤＣＣＨ（Physical Downlink Control Channel）を用いて、各移動局にスケジューリング結果（制御情報）を通知する（例えば、非特許文献１〜３参照）。
【０００３】
基地局からの制御情報は、ＰＤＣＣＨに含まれるＣＣＥ（Control Channel Element：制御チャネル要素）を単位として各移動局に送信される。図３は、ＣＣＥへの制御情報の割当の一例を示す図である。各移動局への制御情報に対して使用されるＣＣＥの数はＡｇｇｒｅｇａｔｉｏｎ Ｌｅｖｅｌ（以下「ＡＬ」と称する。）と呼ばれる。基地局は、配下の移動局の数や、各移動局の無線通信品質などを考慮して、各移動局に割り当てるＡＬを設定する。ＡＬは、１、２、４、又は８のいずれかの値が設定される。ＡＬが２以上の場合、基地局は連続するＡＬ個（例えば２個）のＣＣＥに制御情報を割り当てる。図３の場合、基地局は移動局Ａに対するＡＬを１と設定し、２番目のＣＣＥを移動局Ａへの制御情報用に割り当てている。また、基地局は移動局Ｂに対するＡＬを２と設定し、１２番目と１３番目という連続する２個のＣＣＥを移動局Ｂへの制御情報用に割り当てている。なお、各移動局への制御情報のデータ長が割り当てられたＣＣＥよりも短い場合、基地局は、図４に示すとおり、割り当てたＣＣＥの範囲内で同じ制御情報を含むCoding Outputを繰返し設定するというＲａｔｅ Ｍａｔｃｈｉｎｇと呼ばれる処理を行う。
【０００４】
基地局は、制御情報に対して、対応する移動局の固有ＩＤ（ＲＮＴＩ：Radio Network Temporary Identifier）により符号化したＣＲＣを付けて移動局に送信する。移動局は、基地局からＣＣＥを含むＰＤＣＣＨを受信すると、各ＣＣＥに含まれる信号のＣＲＣを自局の固有ＩＤにより復号化してＣＲＣチェックを行う（ＣＲＣ復号）。ＣＲＣチェックが通った場合、移動局はその信号が自局宛の制御情報であると判断することが出来る。
【０００５】
なお、移動局がＰＤＣＣＨに含まれる全てのＣＣＥに対してＣＲＣチェックを行うことは効率的ではないため、図３に示すとおり、各移動局に対しては、制御情報の割当候補位置がＡＬ毎に予め設定されている。この割当候補位置は、端末の固有ＩＤや、ＡＬを用いて計算することができる。例えば、移動局Ａは、ＡＬが１の場合の割当候補位置である１番目から５番目のＣＣＥに対してＣＲＣチェックを行えば、自局宛の制御情報（ＡＬ＝１）を見つけることができる。また、移動局Ｂは、ＡＬが２の場合の割当候補位置である１０番目から１３番目のＣＣＥに対してＣＲＣチェックを行えば、自局宛の制御情報（ＡＬ＝２）を見つけることができる。
【０００６】
このように、移動局が基地局から送信される自局宛の制御情報の位置を知らず、制御情報を検出するまで割当候補位置に属するＣＣＥに含まれる信号に対してＣＲＣの復号をすることを、ブラインドデコーディングと呼ぶ。移動局は、対応する割当候補位置に含まれるＣＣＥに対しては、適当な順番でＣＲＣの復号をすることになる。移動局は、ブラインドデコーディングにより自局宛の制御情報を見つけると、当該制御情報を用いて、自局宛のユーザデータを取得したり、上り方向のデータ送信を行うことが可能になる。
【先行技術文献】
【非特許文献】
【０００７】
【非特許文献１】3GPP TS36.211(V8.7.0),"Physical Channels and Modulation", May 2009
【非特許文献２】3GPP TS36.212(V8.7.0), “Evolved Universal Terrestrial Radio Access（E-UTRA）Multiplexing and channel coding”, May 2009
【非特許文献３】3GPP TS36.213(V8.7.0)," Evolved Universal Terrestrial Radio Access（E-UTRA）Physical layer procedures", May 2009
【発明の概要】
【発明が解決しようとする課題】
【０００８】
上述のとおり、現在のブラインドデコーディングでは、移動局は、適当な順序で自局の割当候補位置に属するＣＣＥに含まれる信号のＣＲＣ復号を行うため、制御情報が含まれている可能性が低いＣＣＥに対してＣＲＣ復号を行うなど、処理効率の点で問題があった。
【０００９】
したがって、かかる点に鑑みてなされた本発明の目的は、割当候補位置に属するＣＣＥにＣＲＣ復号の優先度を設定することにより、自局宛の制御情報を効率的に検出可能な移動局を提供することにある。
【課題を解決するための手段】
【００１０】
上述した諸課題を解決すべく、第１の観点に係る移動局は、
複数の制御チャネル要素を有する下り制御チャネルに含まれる基地局から自局への制御情報を検出するために、前記制御情報の割当候補位置に属する制御チャネル要素の信号を復号する移動局であって、
前記割当候補位置に属する各制御チャネル要素の受信レベルを生成する生成部と、
前記各制御チャネル要素に対して前記受信レベルに応じた優先度を設定し、前記優先度に応じた順序により前記各制御チャネル要素の信号の復号を制御する制御部と、を備えるものである。
【００１１】
第２の観点に係る発明は、第１の観点に係る移動局において、
Ｎ個（Ｎ＞１）の連続する制御チャネル要素に含まれている制御情報を検出する場合、前記制御情報の割当候補位置に属するＮ個の連続する制御チャネル要素の受信レベルの変動が閾値以上であるかを判断し、前記受信レベルの変動が閾値以上である場合、前記Ｎ個の連続する制御チャネル要素の優先度を低く設定することを特徴とするものである。
【００１２】
第３の観点に係る発明は、第１又は第２の観点に係る移動局において、
前記生成部は、前記各制御チャネル要素に含まれる信号の軟値の平均値を前記受信レベルとして生成し、
前記制御部は、前記軟値の平均値に応じて前記優先度を設定するものである。
【００１３】
第４の観点に係る発明は、第１乃至第３の観点のいずれかに係る移動局において、
Ｎ個（Ｎ＞１）の連続する制御チャネル要素に含まれている制御情報を検出する場合、前記Ｎ個の連続する制御チャネル要素の一部の制御チャネル要素の受信レベルが閾値以上であるかを判断し、前記一部の制御チャネル要素の受信レベルが閾値以上である場合、前記一部の制御チャネル要素のみを復号するように前記復号部を制御することを特徴とするものである。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１５】
例えば、本発明を方法として実現させた第５の観点による制御情報の復号方法は、
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前記割当候補位置に属する各制御チャネル要素の受信レベルを生成するステップと、
前記各制御チャネル要素に対して前記受信レベルに応じた優先度を設定し、前記優先度に応じた順序により前記各制御チャネル要素の信号の復号を制御するステップと、を有するものである。
【発明の効果】
【００１６】
本発明によれば、割当候補位置に属する制御チャネル要素（ＣＣＥ）にＣＲＣ復号の優先度を設定することにより、自局宛の制御情報を効率的に検出することができる。
【図面の簡単な説明】
【００１７】
【図１】図１は、本発明の一実施形態に係る移動局の機能ブロック図である。
【図２】図２は、図１に示す移動局の制御部の処理フローチャートである。
【図３】図３は、ＣＣＥへの制御情報の割当の一例を示す図である。
【図４】図４は、ＣＣＥ内での制御情報の繰返しの一例を示す図である。
【発明を実施するための形態】
【００１８】
以降、諸図面を参照しながら、本発明の実施態様を詳細に説明する。
【００１９】
図１は、本発明の一実施形態に係る移動局１の概略構成を示す図である。移動局１は、アンテナＡＮＴと、生成部１０と、制御部２０と、復号部３０とを有する。生成部１０は、ＬＴＥ方式に好適なインタフェース機器／回路から構成され、制御部２０及び復号部３０はＣＰＵ等の好適なプロセッサから構成されるものである。以下、各部の詳細について説明する。
【００２０】
生成部１０は、アンテナＡＮＴを通じて基地局からのＰＤＣＣＨ（下り制御チャネル）の信号を受信すると、受信した信号に対してＲｅｓｏｕｃｅ Ｅｌｅｍｅｎｔ Ｄｅｍａｐｐｉｎｇや復調処理を行い、割当候補位置に属する各ＣＣＥ（制御チャネル要素）のビット列（軟値列：受信レベル）を生成する。ここで言う軟値とは、１又は０ではなく、「１っぽさ」「０っぽさ」を表す値によって、ＣＣＥの各ビット値を表現したものであり、尤度とも呼ばれるものである。例えば、軟値の範囲を−１０から１０として、「０っぽい」ビットほど−１０に近い軟値とし、「１っぽい」ビットほど１０に近い軟値で表すことができる。
【００２１】
制御部２０は、制御情報の割当候補位置に属するＣＣＥに対して、生成部１０が生成した軟値列に応じた優先度を設定し、この優先度に応じた順序により復号部３０による各ＣＣＥの信号のＣＲＣ復号を制御する。図２は、制御部２０の処理フローチャートである。
【００２２】
制御部２０は、制御情報の割当候補位置に属する各ＣＣＥの軟値平均（又は軟値の絶対値の平均）を計算する（ステップＳ１０１）。例えば、上述のように、軟値の範囲を−１０から１０として、「０っぽい」ビットほど−１０に近い軟値とし、「１っぽい」ビットほど１０に近い軟値で表す場合、軟値の絶対値の平均が高いほどそのＣＣＥには０か１か識別しやすい信号が含まれていることになる。即ち、軟値平均が高いＣＣＥほど、自局又は他局宛の制御情報が含まれている可能性が高い。そのため、制御部２０は、各ＣＣＥの軟値平均を計算することにより、まず、各ＣＣＥに制御情報が含まれているか否かを判断することが可能となる。
【００２３】
ＡＬ＝１の制御情報を検出する場合（ステップＳ１０２のＮｏ）、制御部２０は、軟値平均の高い順に、割当候補位置に属するＣＣＥの優先度を設定する（ステップＳ１０３）。上述したように、軟値平均が高いＣＣＥには０か１か識別しやすい信号が多く含まれているため、軟値平均が高いほど信号の信頼性が高く、制御信号として復号できる可能性が高いためである。
【００２４】
ＡＬ≧２（例えばＡＬ＝２、４又は８）の制御情報を検出する場合（ステップＳ１０２のＹｅｓ）、制御部２０は、連続するＡＬ個のＣＣＥについて、各ＣＣＥの軟値平均に変動があるかどうかを判定する（ステップＳ１０４）。例えば図３に示すように、ある移動局（Ｂ）に対するＡＬ＝２の情報は、連続したＣＣＥ（１２、１３）に割当てられている。また、図４に示すように、連続したＣＣＥには制御情報を含むＣｏｄｉｎｇ Ｏｕｔｐｕｔが繰返し設定されている。このため、２以上のＡＬの制御情報が割当られている場合、連続するＡＬ個の各ＣＣＥの平均軟値は近い値となり、大きな変動が生じる可能性は低い。即ち、連続するＡＬ個の各ＣＣＥの平均軟値に大きな変動がある場合、各ＣＣＥには、ＡＬが２以上の制御情報が含まれる可能性は低いものと考えられる。そのため、制御部２０は、連続するＡＬ個のＣＣＥについて、各ＣＣＥの平均軟値の変動が閾値以上である場合、当該連続するＡＬ個のＣＣＥの優先度を低く設定する（ステップＳ１０５）。一方、制御部２０は、各ＣＣＥの平均軟値の変動が閾値未満である場合、ＡＬが２以上の制御情報が含まれている可能性が高いものとして、当該連続するＡＬ個のＣＣＥの優先度を高く設定する（ステップＳ１０６）。
【００２５】
復号部３０は、制御部２０が設定した優先度に従い、各ＣＣＥに含まれる信号のＣＲＣを自局の固有ＩＤにより復号化し、ＣＲＣチェックを行う。ＣＲＣチェックが通った場合、移動局はその信号が自局宛の制御情報であると判断することが出来る。
【００２６】
このように、本実施形態によれば、生成部１０が制御情報の割当候補位置に属するＣＣＥの軟値列を生成すると、制御部２０は、当該軟値列の平均軟値に応じた復号の優先度を設定し、復号部３０は、この優先度に応じた順序により各ＣＣＥのＣＲＣ復号を行う。このため、本実施形態にかかる移動局は、制御情報の含まれている可能性の高いＣＣＥから順にＣＲＣ復号を行うことができ、自局宛の制御情報を効率的に検出することが可能となる。また、制御情報を早く検出することにより、制御情報を利用したユーザデータの受信や、アップリンクのデータ送信など、後段の処理を迅速に行うことが出来る。
【００２７】
また、ＡＬが２以上であって、Ｎ個（Ｎ＞１）の連続するＣＣＥに含まれている制御情報を検出する場合、制御部２０は、割当候補位置に属するＮ個の連続するＣＣＥの受信レベルの変動が閾値以上であるかを判断し、受信レベルの変動が閾値以上である場合、当該Ｎ個の連続するＣＣＥの優先度を低く設定する。このため、ＡＬが２以上の制御情報が含まれている可能性の低いＣＣＥのＣＲＣ復号が後回しとなり、ＡＬが２以上の制御情報が含まれている可能性の高いＣＣＥからＣＲＣ復号を行うことができるため、自局宛の制御情報を効率的に検出することが可能となる。
【００２８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００２９】
例えば、上述の実施形態において、生成部が各制御チャネル要素について生成する受信レベルを軟値として説明したが、本発明に係る受信レベルは軟値に限定されるものではなく、受信強度やＳＩＮＲ（Signal to noise interference ratio）など、種々の情報を用いることができる点に留意されたい。
【００３０】
例えば、ＡＬが２以上であって、２以上の連続するＣＣＥに含まれている制御情報を検出する場合、制御部２０は、連続するＣＣＥの一部のＣＣＥの受信レベル（受信強度、軟値平均など）が閾値以上であるかを判断し、受信レベルが閾値以上である場合、当該一部のＣＣＥのみについてＣＲＣ復号を行うように制御することができる。上述のとおり、ＣＣＥの受信レベルによって制御情報が含まれている可能性を判断することができ、また、受信レベルが十分高い場合、信号としての信頼性が高く、制御信号として復号できる可能性が高いためである。即ち、制御情報が含まれている可能性の高いＣＣＥのみについてＣＲＣ復号を行うことにより、不要な繰返し処理を防止でき、自局宛の制御情報を効率的に検出することが可能となる。
【符号の説明】
【００３１】
１  移動局
１０  生成部
２０  制御部
３０  復号部
【図１】
0005404451.tif 000002
【図２】
0005404451.tif 000003
【図３】
0005404451.tif 000004
【図４】
0005404451.tif 000005